(57)【要約】【課題】  省電力モード時の消費電力を抑え、なおかつキー入力を検知し省電力モードから復帰を可能にする。【解決手段】  電源キーの長押しによる電源ＯＦＦと前記以外のキー操作による省電力モードからの復帰を一つの信号ラインの監視により実現させるため、電源キー以外のキー入力をパルス信号とＡＮＤをとることでパルス波形にして、電源キーの入力とＯＲでとった信号を監視することで前記課題を解決。【選択図】  図６
2007108856.tif 000002
【特許請求の範囲】
【請求項１】
配置されている複数のキーのいずれかのキーが操作されたことを検出するキー操作検出部と、パルス信号とAND回路を介して前記キー操作検出部と接続されるキー入力部と、前記パルス信号とAND回路を介さずに前記キー操作検出部と接続されるキー入力部を備えたことを特徴するキー入力装置。
【請求項２】
パルス信号とAND回路を介さずにキー操作検出部と接続されるキー入力部が電源のONとOFFの状態に移行する機能を有することを特徴する請求項１に記載のキー入力装置。
【請求項３】
キー操作検出部においてパルス信号のON信号より長い時間のON信号を検出したときに電源OFFの状態に移行することを請求項２に記載のキー入力装置。
【発明の詳細な説明】
【技術分野】
【０００１】
本発明は、複数のキー入力情報を得る操作パネルに関し、通常動作モードとスリープモードとの間で電源モードを制御する電源制御機能を有し、複数のキーにてスリープモードから通常動作モードに復帰する機能を有する画像形成装置に関するものである。
【背景技術】
【０００２】
インクジェットプリンタのように複数のキー入力情報を得る操作パネルにおいて、通常動作モードとスリープモードとの間で電源モードを制御する電源制御機能を有するものがある。通常動作モードとは、印刷等の通常動作が行なえる状態である。スリープモードとは、システムの非動作時であって、電力消費を抑えるために、必要最低限の回路のみに電源を供給したり、クロック周波数の低減を行なう状態である。そして、スリープモード時に、複数設けられたキーのうちのいずれかを押し下げると、電源が再度立ち上がって通常動作モードに戻り、システムが起動されるようになっている。
【０００３】
図１は、従来技術に基づく画像形成装置のシステム構成図である。該システムは、システム全体の電源供給を行う電源ユニット１１５、入出力回路１０２により制御が行なわれている印字ヘッド１１０やセンサ１１２、表示部１１１、モータ１１３、電源キー以外のキー１０１があり、また外部インターフェイス１１７およびメモリ１１６、中央制御部１０３等によって構成されている。中央制御部１０３は電源ユニット１１５、入出力回路１０２、電源キー１００、外部インターフェイス１１７およびメモリ１１６の制御を行なっている。
【０００４】
そして一定期間、操作部のキー入力や外部インターフェイス１１７からの印刷データ入力が行なわれないとシステムは通常動作モードからスリープモードに移行する。スリープモードとは外部インターフェイス１１７からの要求や操作部のキー入力を検知し、印刷動作などの通常動作にすみやかに復帰できる最低限の機能だけを残し、システム全体として低消費電力状態となっている。具体的にはメモリ１１６がＤＲＡＭの場合、内部のデータを保持のみ行いデータのリードやライトができないセルフリフレッシュの状態となる。表示部１１１やモータ１１３等の入出力部１１４は最低限の部品のみ電源供給を行なわれる。スリープモード時に電源キー以外のキー１０１のいずれかが押し下げられた場合、キー入力に対応した信号が入出力回路１０２に入り、キー入力されたことを中央制御部１０３に知らせ、メモリ１１６や電源ユニット１１５、入出力部１１４を通常動作モードの状態にして、システム全体として通常動作モードに移行する。
【０００５】
次にスリープモード時に電源キー１００が押し下げられた場合について説明する。そして電源キー１００は３秒以上押しつづけると電源ＯＦＦとなる仕様とする。３秒未満の電源キー入力のときは前記電源キー以外のキー１０１と同様に中央制御部１０３においてキー入力を検知し、通常動作モードに移行する。３秒以上の電源キー１００の入力のときは上記３秒未満の電源キー１００の入力と同様に中央制御部１０３においてキー入力を検知を行なうが、３秒以上の電源キー１００の入力は電源ＯＦＦを意味する操作のためスリープモードから直接、電源ＯＦＦに移行することで速やかにユーザーの要求を実行できる。スリープモードから通常動作モードへの移行はインクジェットプリンタの場合、印字可能な状態にするための印字ヘッド１１０の回復動作等のシーケンスが必要となり３０秒以上の待ち時間が必要なためスリープモードから直接、電源ＯＦＦの状態に移行できることはユーザーにとって操作性の面で重要である。
【０００６】
図２は従来の電源キー１００と電源キー以外のキー１０１の入力を制御する回路を示したものである。電源キー１００は中央制御部１０３のキー入力検出部１０４でキー入力の検知を行なう、そして電源キー以外のキー１０１は入出力回路１０２でキー入力検知を行なう構成となっている。前記構成ではスリープモード時にキー入力の検知を行なう必要があるため入出力回路１０２と中央制御部１０３の動作を止めることはできず、そのためスリープモード時における消費電力の低減が充分でないという問題があった。
【０００７】
また従来技術として、キー入力を検知する手段を設け、スリープモード時に電力を削減を実現したものがあるが（例えば特開平６−３０９２８０参照）、キー入力の入力時間を区別して認識できるものは無かった。
【特許文献１】特開平０６−３０９２８０号公報
【発明の開示】
【発明が解決しようとする課題】
【０００８】
図３は図２における電源キー以外のキー１０１を電源キー１００とＯＲ回路１０９で接続し中央制御部１０３のキー入力検出部１０４に接続した構成である。この構成であれば入出力回路１０２の動作を止めても中央制御部１０３のキー入力検出部１０４において電源キー１００と電源キー以外のキー１０１の入力を検知でき消費電力削減が可能となる。
【０００９】
またキー入力を監視する信号線が１つであることにより中央制御部１０３のチップのピン数や信号ケーブル数が少なくてすみ、コスト面においても好ましい構成である。
【００１０】
しかし、中央制御部１０３のキー入力検出部１０４において３秒以上のＯＮ信号を検出した場合にそれが電源キー１００が押されたものであるかの判断ができずスリープモードから直接、電源ＯＦＦに移行できない問題がある。
【００１１】
そこでキー入力を監視する信号線が一本でなおかつ電源キー１００の長押しを他のキーの操作と区別できるような構成の提供を本発明の課題とする。
【課題を解決するための手段】
【００１２】
配置されている複数のキーのいずれかのキーが操作されたことを検出するキー操作検出部と、パルス信号とＡＮＤ回路を介して前記キー操作検出部と接続されるキー入力部と、前記パルス信号とＡＮＤ回路を介さずに前記キー操作検出部と接続されるキー入力部を備え、パルス信号とAND回路を介さずにキー操作検出部と接続されるキー入力部が電源のONとOFFの機能を有し、キー操作検出部においてパルス信号のON信号より長い時間のON信号を検出したときに電源OFFの状態に移行することでキー入力を監視する入力端子が１つの構成でスリープモードから電源ＯＦＦに移行することが可能となる。
【発明の効果】
【００１３】
このように本発明のキー入力装置を用いることで従来と変わらぬ使用感を実現しながら、低コストの構成でスリープモード時の消費電力を従来より抑えることが可能になる。
【発明を実施するための最良の形態】
【００１４】
図４は、本発明の画像形成装置のシステム構成図である。該システムは、システム全体の電源供給を行う電源ユニット１１５、入出力回路１０２により制御が行なわれている印字ヘッド１１０やセンサ１１２、表示部１１１、モータ１１３、電源キー以外のキー１０１があり、また外部インターフェイス１１７およびメモリ１１６、中央制御部１０３等によって構成されている。中央制御部１０３は電源ユニット１１５、入出力回路１０２、電源キー１００、外部インターフェイス１１７およびメモリ１１６の制御を行なっている。また中央制御部１０３により電源キー以外のキー１０１の入力を監視できるようになっている。
【００１５】
本発明のシステムにおける状態移行図を図５に示す。電源ＯＦＦの状態から電源キー１００の入力を行なうと通常動作モードに移行する。そして一定期間、操作部のキー入力や外部インターフェイス１１７からの印刷データ入力が行なわれないとシステムは通常動作モードからスリープモードに移行する。スリープモードとは外部インターフェイス１１７からの要求や操作部のキー入力を検知し、印刷動作などの通常動作にすみやかに復帰できる最低限の機能だけを残し、システム全体として低消費電力状態となっている状態である。具体的にはメモリ１１６がＤＲＡＭの場合、内部のデータを保持のみ行いデータのリードやライトができないセルフリフレッシュの状態となる。そして表示部１１１やモータ１１３等の入出力部１１４と入出力回路１０２は電源供給をＯＦＦにする。
【００１６】
次にスリープモードからの状態遷移について説明する。
【００１７】
そして図６は本発明の電源キー１００と電源キー以外のキー１０１の入力を制御する回路を示したものである。
【００１８】
電源キー以外のキー１０１の入力をＯＲ回路１０６で接続し、前記信号をＯＮ信号がパルス発生回路１０８から発せられた２．５秒の間隔のパルス信号とＡＮＤ回路１０７で接続する。そしてＡＮＤ回路１０７で接続された信号を電源キー１００とＯＲ回路１０５で接続し、中央制御部１０３のキー入力を検知するキー入力検出部１０４に接続する。電源キー以外のキー１０１の入力は２．５秒以上キーを押しても２．５秒より長い時間の入力信号がキー操作検出部１０４に入らないため、電源キー１００を３秒以上押した場合と電源キー以外のキー１０１または電源キー１００を３秒未満押した場合の区別を行なうことができる。そしてキー操作検出部１０４に３秒以上の入力信号が入ると電源ＯＦＦの状態にシステムが移行する仕様とする。
【００１９】
通常モード時におけるキー入力の監視について説明する。電源キー１００の入力は中央制御部１０３のキー入力検出部１０４で監視が行なわれる。次に電源キー以外のキー１０１のいづれかが押し下げられた場合、キー操作に対応した信号が入出力回路１０２に入り、キー入力されたことを中央制御部１０３に知らせ、メモリ１１６や電源ユニット１１５、入出力部１１４を通常状態にして、システム全体として通常動作モードに移行する。
【００２０】
次にスリープモード時におけるキー入力の監視について説明する。電源キー１００を３秒以上押しつづけると３秒以上の入力信号がキー入力検出部１０４に入り、電源ＯＦＦの状態に移行する。３秒未満の電源キー入力のときは３秒以上の入力信号がキー操作検出部１０４に入らないため、電源ＯＦＦの入力でないキー入力と見なされ通常動作モードに移行する。
【００２１】
電源キー以外のキー１０１の入力をされた場合、キー入力された時間によらず２．５秒以上の入力信号がキー操作検出部１０４に入らないため、３秒未満の電源キー以外のキー１０１の入力と同様にキー操作検出部１０４において電源ＯＦＦの入力でないキー入力と見なされ通常動作モードに移行する。
【００２２】
以上の説明のようにキー入力を監視する信号線が一本の場合でも、電源ＯＦＦを意味する電源キー１００の長押しと他のキーの操作と区別できる機能を実現できる。
【図面の簡単な説明】
【００２３】
【図１】従来の画像形成装置の構成例を示すブロック図である。
【図２】一番目の従来のキー入力回路の構成例を示すブロック図である。
【図３】二番目の従来のキー入力回路の構成例を示すブロック図である。
【図４】本発明の画像形成装置の構成例を示すブロック図である。
【図５】本発明のキー操作による状態遷移図を示す図である。
【図６】本発明のキー入力回路の構成例を示すブロック図である。
【符号の説明】
【００２４】
１００  電源キー
１０１  電源キー以外のキー
１０２  入出力回路
１０３  中央制御部
１０４  キー入力検出部
１０５  電源キーと１０７の信号が接続されたＯＲ回路
１０６  電源キー以外のキー入力が接続されたＯＲ回路
１０７  パルス信号と１０６の信号が接続されたＡＮＤ回路
１０８  パルス発生回路
１０９  電源キーと電源キー以外キー入力が接続されたＯＲ回路
１１０  印字ヘッド
１１１  表示部
１１２  センサ
１１３  モータ
１１４  入出力部
１１５  電源ユニット
１１６  メモリ
１１７  外部インターフェイス
【図１】
2007108856.tif 000003
【図２】
2007108856.tif 000004
【図３】
2007108856.tif 000005
【図４】
2007108856.tif 000006
【図５】
2007108856.tif 000007
【図６】
2007108856.tif 000008